(57)【要約】【課題】  情報の表示中に他の商品が取り出された場合にも、複数の商品の情報を提供する。【解決手段】  商品を特定するデータを所定のタイミングで出力する商品認識手段と、前記商品認識手段より出力された複数のタイミングにおけるデータの差異を認識し、前記差異に基づいて特定される商品に関連する情報を表示する制御を行う情報処理手段と、前記情報処理手段による制御に基づいて前記情報を表示する表示手段とを備えると共に、前記情報処理手段は、前記表示手段による所定の商品に関連する情報の表示中に、前記差異に基づいて特定される商品に関連する情報が新たに発生した場合、前記表示手段に副画面を生成し、前記新たに発生した情報を前記副画面に表示する制御を行う。【選択図】          図１
2006127352.tif 000002
【特許請求の範囲】
【請求項１】
商品を特定するデータを所定のタイミングで出力する商品認識手段と、
前記商品認識手段より出力された複数のタイミングにおけるデータの差異を認識し、前記差異に基づいて特定される商品に関連する情報を表示する制御を行う情報処理手段と、
前記情報処理手段による制御に基づいて前記情報を表示する表示手段とを備えると共に、
前記情報処理手段は、前記表示手段による所定の商品に関連する情報の表示中に、前記差異に基づいて特定される商品に関連する情報が新たに発生した場合、前記表示手段に副画面を生成し、前記新たに発生した情報を前記副画面に表示する制御を行うことを特徴とする情報提供装置。
【請求項２】
前記情報処理手段は、前記所定の商品に関連する情報の表示が終了した際、前記副画面に表示していた前記新たに発生した情報を主画面に表示する制御を行うことを特徴とする請求項１記載の情報提供装置。
【請求項３】
前記商品認識手段は、商品に貼付されたＲＦＩＤタグに書き込まれたＩＤコードを読み取る無線通信可能なＲＦＩＤリーダであることを特徴とする請求項１または２に記載の情報提供装置。
【請求項４】
所定のタイミングで出力された商品を特定するデータの複数タイミングにおける差異を認識し、前記差異に基づいて特定される商品に関連する情報を表示する制御を行う情報処理手段を備えると共に、
前記情報処理手段は、所定の商品に関連する情報の表示中に、前記差異に基づいて特定される商品に関連する情報が新たに発生した場合、副画面を生成して、前記新たに発生した情報を前記副画面に表示する制御を行うことを特徴とする制御装置。
【発明の詳細な説明】
【技術分野】
【０００１】
この発明は、商品の情報を表示する情報提供装置に関するものである。
【背景技術】
【０００２】
従来の情報提供装置として、特開２００４−１１０８０５号公報がある。この従来の情報提供装置は、商品認識手段に商品を近づけることにより、単一の商品に関する情報を表示手段に表示するものである。
【０００３】
【特許文献１】特開２００４−１１０８０５号公報
【発明の開示】
【発明が解決しようとする課題】
【０００４】
従来の商品の動きに連動した情報提供装置は、商品を商品認識手段に近づけるという意識的な動作により、当該商品に関する情報を得ている。従って、その機能を知らない顧客は情報提供サービスを受けることができなかった。また、複数の商品に関する情報の提供については考慮されていないため、第１の商品に関する情報の表示が中断され、第２の商品に関する表示が開始されてしまうという問題点があった。
この発明は上記のような問題点を解決するためになされたもので、商品を陳列棚から取り出すという顧客の無意識の動作に基づいて商品に関連する情報を提供し、また情報の表示中に他の商品が取り出された場合にも、複数の商品の情報を提供することを目的とする。
【課題を解決するための手段】
【０００５】
本発明に係る情報提供装置は、商品を特定するデータを所定のタイミングで出力する商品認識手段と、前記商品認識手段より出力された複数のタイミングにおけるデータの差異を認識し、前記差異に基づいて特定される商品に関連する情報を表示する制御を行う情報処理手段と、前記情報処理手段による制御に基づいて前記情報を表示する表示手段とを備えると共に、前記情報処理手段は、前記表示手段による所定の商品に関連する情報の表示中に、前記差異に基づいて特定される商品に関連する情報が新たに発生した場合、前記表示手段に副画面を生成し、前記新たに発生した情報を前記副画面に表示する制御を行うものである。
【発明の効果】
【０００６】
商品を特定するデータを所定のタイミングで出力する商品認識手段と、前記商品認識手段より出力された複数のタイミングにおけるデータの差異を認識し、前記差異に基づいて特定される商品に関連する情報を表示する制御を行う情報処理手段と、前記情報処理手段による制御に基づいて前記情報を表示する表示手段とを備えると共に、前記情報処理手段は、前記表示手段による所定の商品に関連する情報の表示中に、前記差異に基づいて特定される商品に関連する情報が新たに発生した場合、前記表示手段に副画面を生成し、前記新たに発生した情報を前記副画面に表示する制御を行うことにより、情報提供中に次の商品が取り出されても、現在表示中の情報を中断することなく、新たに取り出された商品の表示が可能となる。
【発明を実施するための最良の形態】
【０００７】
実施の形態１．
図１は、本発明の情報提供装置の構成図である。図１において、情報提供装置１は、商品棚に陳列された商品を認識する商品認識手段１１と、商品認識手段１１により取得したデータを処理する情報処理手段１２と、情報処理手段１２からの制御により情報を表示する表示手段１３とを備える。
【０００８】
図２は、本発明の情報提供装置を用いて商品に関する表示を行うシステムの構成例である。図２におけるシステムは、商品認識手段としてのＲＦＩＤリーダ１１ａ、情報処理手段としての計算機１２ａ、表示手段としてのモニタ13a、商品を認識するための無線通信可能なＲＦＩＤタグを貼付したＲＦＩＤタグ付商品２０ａで構成されている。次に、図２を用いて情報提供装置の動作について説明する。
【０００９】
まず、ＲＦＩＤリーダ１１ａは、計算機１２ａからの指示により、その時点で商品棚に陳列されているＲＦＩＤタグ付商品２０ａを認識し、それらの商品を特定するデータを計算機１２ａに通知する。ＲＦＩＤタグには、それぞれ異なるＩＤコードが書き込まれており、ＲＦＩＤリーダ１１ａは交信範囲内にあるＲＦＩＤタグのＩＤコードをすべて読み取り、計算機１２ａに通知する。
【００１０】
図３は、計算機１２ａにおける処理の流れを示すフローチャートである。上述の通りＲＦＩＤリーダ１１ａを起動し（ステップＳ１１）、ＲＦＩＤリーダ１１ａが認識したＩＤを受け取る（ステップＳ１２）。計算機１２ａは前回受け取ったＩＤを保持しており、今回受け取ったＩＤとの比較を行なう（ステップＳ１３）。前回有って今回は無いＩＤが見付からなかった場合（ステップＳ１４でＮｏ）、商品棚から取り出された商品が無かったということであり、特にアクションは起こさずに、一定時間後ステップＳ１１に戻って、再度ＲＦＩＤリーダ１１ａを起動する。
【００１１】
前回有って今回無いＩＤが見付かった場合（ステップＳ１４でＹｅｓ）、当該ＩＤに関連付けられる情報をモニタ１３ａで表示して動作を終了し（ステップＳ１５）、その後またステップＳ１１の動作を開始する。なお、ＩＤに関連付けられる情報は、計算機１２ａ内にある場合もあるし、外部よりネットワークを経由して入手することもありえる。
【００１２】
図４は、図３のステップＳ１５における計算機１２ａが認識した商品に関連する情報をモニタ１３ａに表示する動作の詳細を示すフローチャートである。まず、計算機１２ａはモニタ１３ａで主画面表示を行っているか否かを判定する（ステップＳ２１）。ここで、主画面表示とは、図５に示す通り画面全体で表示することを示し、副画面表示とは、画面中に小さな表示領域を作成しそこに表示することを示す。モニタ１３ａで主画面表示を行っていない場合（ステップＳ２１でＮｏ）、ＩＤに関連付けられた情報をモニタ１３ａに主画面表示する（ステップＳ２２）。一定時間後、あるいは動画コンテンツの表示を終了したら、主画面表示終了イベントを発生して処理を終了する（ステップＳ２３）。
【００１３】
一方、モニタ１３ａで主画面表示を行っている場合（ステップＳ２１でＹｅｓ）、ＩＤに関連付けられた情報を副画面に表示する（ステップＳ２４）。主画面表示終了イベントの発生を待ち、主画面表示終了イベントが発生したら、副画面表示されている内容をそのまま拡大し、主画面表示とする（ステップＳ２５）。
【００１４】
以上のように、主画面表示を行っているか否かを判断し、主画面表示中は副画面に表示させる計算機（情報処理手段）を備えることにより、情報提供中に次の商品が取り出されても、現在表示中の情報を中断することなく、新たに取り出された商品の表示が可能となる。
【００１５】
また、本実施の形態１では、図２のようなシステム構成例を示したが、商品認識手段、情報処理手段、表示手段を備えていればこれに限られず、例えばそれぞれの手段を全て単一の装置内に設けても同様の効果を得ることができる。
【００１６】
また、本実施の形態１では、前回有って今回無いＩＤに関連付けられた情報を表示する場合について説明したが、陳列されている商品全てのＩＤとあるタイミングで認識されたＩＤとを比較して、認識されなかったＩＤに関連付けられた情報を表示するようにしてもよい。
【００１７】
また、本実施の形態１では、商品認識手段としてＲＦＩＤリーダと商品に貼付されたＲＦＩＤタグを用いる場合について説明したが、ユーザが選択した商品を認識できればこれに限られず、バーコード等を用いても同様の効果を得ることができる。
【図面の簡単な説明】
【００１８】
【図１】情報提供装置の構成図
【図２】情報提供装置を用いて商品に関する表示を行うシステム構成例を示す説明図
【図３】計算機１２ａにおける処理の流れを示すフローチャート
【図４】計算機１２ａが認識した商品に関連する情報をモニタ１３ａに表示する動作の詳細を示すフローチャート
【図５】主画面表示と副画面表示とを説明する説明図
【符号の説明】
【００１９】
１      情報提供装置
１１    商品認識手段
１２    情報処理手段
１３    表示手段
１１ａ  ＲＦＩＤリーダ
１２ａ  計算機
１３ａ  モニタ
２０ａ  ＲＦＩＤタグ付商品
【図１】
2006127352.tif 000003
【図２】
2006127352.tif 000004
【図３】
2006127352.tif 000005
【図４】
2006127352.tif 000006
【図５】
2006127352.tif 000007